(57)【要約】【課題】基板を用意し、前記基板上に発光チップを実装するステップを含む発光ダイオードの製造方法が開示される。【解決手段】  前記基板上に中間板が配置される。前記中間板は、発光チップを収容する貫通孔及びその上部面上に前記貫通孔を連結する溝を有する。前記溝を湯道として透明成形材料でトランスファー成形することにより、前記貫通孔を充填する第１のモールド部が形成される。その後、前記中間板が除去され、個別の発光ダイオードに分離される。これにより、トランスファー成形により形成された第１のモールド部が基板の切断面の内部に位置する発光ダイオードを提供することができ、また、前記第１のモールド部が基板の切断面の内部に位置するので、前記第１のモールド部の側面上に対称的な第２のモールド部を多様に形成することができる。【選択図】図６
2009506530.tif 000002
【特許請求の範囲】
【請求項１】
基板を用意し、
前記基板上に発光チップを実装し、
前記基板上に中間板を位置させるが、前記中間板は、発光チップを収容する貫通孔及びその上部面上に前記貫通孔を連結する溝を有し、
前記溝を湯道として透明成形材料でトランスファー成形することにより、前記貫通孔を充填する第１のモールド部を形成し、
前記中間板を除去し、
個別の発光ダイオードに分離するステップを備えることを特徴とする発光ダイオードの製造方法。
【請求項２】
前記透明成形材料は、蛍光体粉末を含有することを特徴とする請求項１に記載の発光ダイオードの製造方法。
【請求項３】
前記発光チップを実装するステップの前に、前記中間板を位置させるステップが行われることを特徴とする請求項１に記載の発光ダイオードの製造方法。
【請求項４】
前記中間板を除去するステップの後に、前記第１のモールド部の少なくとも側面を取り囲む第２のモールド部を形成するステップをさらに含むことを特徴とする請求項１に記載の発光ダイオードの製造方法。
【請求項５】
前記第２のモールド部を形成するステップは、
不透明成形材料で成形することにより、第１のモールド部を覆い、
前記第１のモールド部の上部面が露出するまで、前記不透明成形材料を除去するステップを含むことを特徴とする請求項４に記載の発光ダイオードの製造方法。
【請求項６】
前記第２のモールド部を形成するステップは、
前記第１のモールド部間の空間を充填するが、その上部面を露出させるように不透明成形材料で成形することにより行われることを特徴とする請求項４に記載の発光ダイオードの製造方法。
【請求項７】
前記第２のモールド部は、透明成形材料で成形され、前記第１のモールド部の上部面をそれぞれ覆うレンズ部を有することを特徴とする請求項４に記載の発光ダイオードの製造方法。
【請求項８】
前記第１のモールド部は、蛍光体を含有することを特徴とする請求項５乃至７のいずれか一項に記載の発光ダイオードの製造方法。
【請求項９】
前記第２のモールド部は、互いに離隔して形成されることを特徴とする請求項４に記載の発光ダイオードの製造方法。
【請求項１０】
前記第２のモールド部は、前記第１のモールド部の上部面を覆い、前記第１のモールド部及び前記第２のモールド部の少なくとも一つは、蛍光体を含有することを特徴とする請求項９に記載の発光ダイオードの製造方法。
【請求項１１】
前記第２のモールド部は、前記第１のモールド部を収容する貫通孔を有する新たな中間板を用いることにより形成されることを特徴とする請求項９に記載の発光ダイオードの製造方法。
【請求項１２】
基板を用意するステップと、
前記基板上に発光チップを実装するステップと、
前記発光チップをそれぞれ覆う透明な第１のモールド部を形成するステップと、
前記第１のモールド部の側面を覆う不透明な第２のモールド部を形成するステップと、
個別の発光ダイオードに分離するステップと、
を備えることを特徴とする発光ダイオードの製造方法。
【請求項１３】
前記第２のモールド部を形成するステップは、
不透明成形材料で成形することにより、第１のモールド部を覆い、前記第１のモールド部の上部面が露出するまで、前記不透明成形材料を除去するステップを含むことを特徴とする請求項１２に記載の発光ダイオードの製造方法。
【請求項１４】
前記第２のモールド部を形成するステップは、
前記第１のモールド部間の空間を充填するが、その上部面を露出させるように不透明成形材料で成形することにより行われることを特徴とする請求項１２に記載の発光ダイオードの製造方法。
【発明の詳細な説明】
【技術分野】
【０００１】
本発明は、発光ダイオードの製造方法に関し、より詳しくは、従来の製造方法を改善し、バックライト用光源として用いるのに好適な発光ダイオードの製造方法に関する。
【背景技術】
【０００２】
バックライト光源用発光ダイオードの製造方法としては、印刷回路基板又はリードフレーム上に発光チップを実装し、前記発光チップを封止するモールド部をトランスファー成形により形成する方法が用いられてきた。図１乃至図３は、このような従来のチップ型発光ダイオードの製造方法を説明するための図であり、図１及び図２において、（ａ）は平面図を、（ｂ）は断面図を示し、図３は、従来のチップ型発光ダイオードの斜視図を示す。
【０００３】
図１を参照すると、印刷回路基板又はリードフレームのような基板１１上に発光チップ１２が実装される。前記基板１１は、リード電極（図示せず）を有し、前記発光チップは、ワイヤ１３を介してリード電極に電気的に連結される。
【０００４】
図２を参照すると、前記発光チップ１２が実装された基板１１をモールドダイ（図示せず）に位置させた後、トランスファー成形によりモールド部１４が形成される。通常、前記モールドダイは、成形材料が流れる湯道を有し、発光チップは、前記湯道内に位置される。これにより、図示のように、モールド部１４が発光チップの列に沿って形成される。その後、前記基板１１を切断して分離することにより、図３に示した個別の発光ダイオードが完成する。
【０００５】
従来の技術によると、トランスファー成形法を用いてモールド部１４を形成することにより、チップ型発光ダイオードの大量生産が可能であり、成形時間が短く、無機蛍光体のように比重の大きな物質がモールド部１４内に均一に分散され得るという長所がある。
【０００６】
しかしながら、発光チップ１２を封止するモールド部１４が透明であるため、発光チップ１２から放出された光は、モールド部１４の前面から外部に放出される。したがって、光の指向角が広く、要求される指向角内の発光光度が低く、バックライティングに用いられず、消失してしまう光が多いという短所があった。また、図３に示すように、両側面において、基板の切断面とモールド部の切断面が一致するので、前記モールド部１４の切断面上に第２のモールド部を形成することができないという短所があった。
【０００７】
一方、要求される指向角内の発光光度を向上させるために、基板上にリフレクターを付着し、又は、不透明な合成樹脂を射出成形し、リフレクターを形成した後、発光チップを実装し、前記リフレクターの内部に透明モールド部を形成するリフレクター型発光ダイオードの製造方法が用いられている。
【０００８】
このようなリフレクター型発光ダイオードの製造方法は、要求される指向角内の発光光度を向上させることができるという長所がある。しかし、透明モールド部をトランスファー成形法により形成することが難しく、液相樹脂をリフレクター内に注入する方法が主に用いられている。液相樹脂を用いる方法は、リフレクター内に液相樹脂を一々注入しなければならないので、生産性が劣り、成形時間が長くかかり、比重の大きな蛍光体が沈殿するため、蛍光体が均一に分散されたモールド部を提供することが難しい。しかも、リフレクターの付着又は射出成形によるリフレクターの形成技術は、発光ダイオードの厚さを減少させるのに限界があった。
【発明の開示】
【発明が解決しようとする課題】
【０００９】
本発明が解決しようとする技術的課題は、トランスファー成形法により形成した第１のモールド部が基板の切断面内に位置する発光ダイオードの製造方法を提供することにある。
本発明が解決しようとする他の技術的課題は、第１のモールド部の側面上に対称的な第２のモールド部を有する発光ダイオードの製造方法を提供することにある。
本発明が解決しようとするまた他の技術的課題は、要求される指向角内の発光光度を向上させることができる発光ダイオードの製造方法を提供することにある。
本発明が解決しようとするさらに他の技術的課題は、リフレクターを有するが、発光ダイオードの厚さ増加を防ぐことができる発光ダイオードの製造方法を提供することにある。
【課題を解決するための手段】
【００１０】
上記技術的課題を解決するため、本発明の一態様による発光ダイオードの製造方法は、基板を用意するステップを含む。前記基板上に発光チップが実装され、前記基板上に中間板が位置される。前記中間板は、発光チップを収容する貫通孔及びその上部面上に前記貫通孔を連結する溝を有する。その後、前記溝を湯道として透明成形材料でトランスファー成形することにより、前記貫通孔を充填する第１のモールド部が形成される。次いで、前記中間板が除去され、個別の発光ダイオードに分離される。これにより、前記第１のモールド部が中間板の貫通孔内に形成されるので、第１のモールド部が基板の切断面内に位置する発光ダイオードを提供することができる。
【００１１】
一方、前記透明成形材料は、蛍光体粉末を含有していてもよい。したがって、蛍光体粉末を含有している透明成形材料でトランスファー成形することにより、第１のモールド部が形成されるので、蛍光体が第１のモールド部内に沈殿することを防ぐことができる。
前記発光チップが実装される前に、前記中間板が先に前記基板上に位置されてもよい。その後、前記中間板の貫通孔内に前記発光チップが実装される。
一方、本発明の実施例において、前記中間板が除去された後、前記第１のモールド部の少なくとも側面を取り囲む第２のモールド部が形成されてもよい。
【００１２】
いくつかの実施例において、前記第２のモールド部は、不透明成形材料で成形することにより、第１のモールド部を覆い、前記第１のモールド部の上部面が露出するまで、前記不透明成形材料を除去することにより形成されてもよい。これとは異なり、前記第２のモールド部は、前記第１のモールド部間の空間を充填するが、その上部面を露出させるように不透明成形材料で成形することにより形成されてもよい。不透明成形材料で形成された第２のモールド部は、リフレクターとして作用し、要求される指向角内の発光光度を向上させる。このような第２のモールド部は、第１のモールド部の高さと同一に形成されるので、発光ダイオードの厚さ増加を防ぐことができる。
【００１３】
いくつかの実施例において、前記第２のモールド部は、前記第１のモールド部の上部面をそれぞれ覆うレンズ部を有するように、透明成形材料で成形されてもよい。前記レンズ部は、発光チップから放出された光を要求される指向角内に集光させることにより、発光光度を向上させる。
【００１４】
一方、前記第１のモールド部の少なくとも側面を取り囲む前記第２のモールド部は、互いに離隔して形成されてもよい。これに加えて、前記第２のモールド部は、前記第１のモールド部の上部面を覆い、蛍光体を含有してもよい。これにより、蛍光体を含有する第２のモールド部が、前記第１のモールド部上に均一に形成された発光ダイオードを提供することができる。このような第２のモールド部は、前記第１のモールド部を収容する貫通孔を有する新たな中間板を用いることにより形成されてもよい。
【００１５】
本発明の他の態様による発光ダイオードの製造方法は、基板を用意するステップを含む。前記基板上に発光チップが実装され、前記発光チップをそれぞれ覆う透明な第１のモールド部が形成される。その後、前記第１のモールド部の側面を覆う不透明な第２のモールド部が形成され、個別の発光ダイオードに分離される。これにより、厚さ増加を防ぐと共に、要求される指向角内の発光光度を向上させることができる発光ダイオードを製造することができる。
【００１６】
前記第２のモールド部は、不透明成形材料で成形することにより、第１のモールド部を覆い、前記第１のモールド部の上部面が露出するまで、前記不透明成形材料を除去することにより形成されてもよい。これとは異なり、前記第２のモールド部は、前記第１のモールド部間の空間を充填するが、その上部面を露出させるように不透明成形材料で成形することにより形成されてもよい。
【発明の効果】
【００１７】
本発明によると、トランスファー成形法により成形した第１のモールド部が基板の切断面内に位置する発光ダイオードを製造することができ、これにより、前記第１のモールド部の側面上に対称的に第２のモールド部を形成することができる。したがって、リフレクターの機能を有する第２のモールド部を形成し、又は、レンズ部を有する第２のモールド部を形成することにより、要求される指向角内の発光光度を向上させることができる。また、リフレクターの機能を有する第２のモールド部を採用する場合、従来のチップ型発光ダイオードに比べて発光ダイオードの厚さが増加することを防ぐことができ、要求される指向角内の発光光度を顕著に増加させることができる。
【発明を実施するための最良の形態】
【００１８】
以下、添付した図面に基づき、本発明の実施例について詳述する。以下に紹介される実施例は、本発明の思想を当業者に充分伝達するために、例として提供されるものである。したがって、本発明は、後述する実施例に限定されず、他の形態に具体化され得る。なお、図面において、構成要素の幅、長さ、厚さ等は、便宜のために誇張して表現されることもある。明細書の全体にわたって、同一の参照番号は、同一の構成要素を示す。
【００１９】
図４乃至図９は、本発明の一実施例による発光ダイオードの製造方法を説明するための図であり、各図面において、（ａ）は平面図を、（ｂ）は断面図を示す。
図４を参照すると、印刷回路基板又はリードフレームのような基板３１上に発光チップ３２が実装される。前記発光チップ３２は、通常、図示のように、マトリクス状に配列される。前記基板３１は、リード電極（図示せず）を有し、前記発光チップは、ワイヤ３３を介してリード電極に電気的に連結される。前記発光チップ３２は、図示のように、その１個の電極に対して１個のワイヤ３３がボンディングされる１ボンディングダイであってもよいが、これに限定されるものではなく、２個の電極のそれぞれにワイヤ３３がボンディングされる２ボンディングダイであっても、又は、ワイヤ３３を介さず、基板のリード電極に電気的に連結されるフリップチップであってもよい。
【００２０】
図５を参照すると、前記発光チップ３２が実装された基板３１上に中間板４１が位置される。前記中間板４１は、前記発光チップ３２を収容する貫通孔４４を有し、前記貫通孔を連結する溝４３を、その上部面上に有する。したがって、前記発光チップ３２は、前記中間板４１の貫通孔内にそれぞれ位置する。
【００２１】
前記中間板４１は、トランスファー成形の間、変更されなければ、その材料に制限がない。また、前記貫通孔４４は、四角柱状のものと図示されているが、目的に応じて、例えば、角錐台、円錐台等の様々な形状を有してもよい。また、前記溝４３は、図示のように、貫通孔４４を列単位で連結してもよいが、これに限定されるものではなく、多様な方式で連結することができる。
【００２２】
本実施例において、発光チップ３２を実装した後、中間板４１を位置させるものと説明しているが、その順序は入れ替えてもよい。すなわち、中間板４１を基板３１上に位置させた後、前記貫通孔４４内に発光チップ３２を実装してもよい。
【００２３】
図６を参照すると、基板３１を下部モールドダイ５１と上部モールドダイ５３との間に位置させ、前記中間板４１の溝４３を湯道として、透明成形材料、例えば、エポキシ又はシリコン樹脂でトランスファー成形することにより、第１のモールド部３４が形成される。
【００２４】
従来の発光ダイオードの製造方法とは異なり、前記上部モールドダイ５３は、湯道を有さなくてもよいので、下部面が平らな面であってもよい。前記透明成形材料は、中間板４１の溝４３に沿って中間板４１の上部に流れ込み、前記貫通孔４４を充填する。その後、前記透明成形材料は硬化し、第１のモールド部３４が形成される。
透明成形材料は、拡散剤や蛍光体を含有してもよく、トランスファー成形により第１のモールド部３４が形成されるので、蛍光体が均一に分散された第１のモールド部３４を形成してもよい。蛍光体の種類は、発光チップ３２の光を要求される波長の光に変換させるために適宜選択されてもよい。
【００２５】
図７を参照すると、前記モールドダイ５１、５３から基板３１を取り出した状態を示す。前記基板３１上には、依然として中間板４１が位置し、前記中間板４１の貫通孔４４は、第１のモールド部３４により充填されている。また、前記中間板４１の溝４３内にも、残存するモールド部３４ａが充填されている。
【００２６】
図８を参照すると、前記基板３１から中間板４１が除去される。これにより、前記中間板４１の溝４３内に充填されたモールド部３４ａも一緒に除去される。前記モールド部３４ａを貫通孔４４内の第１のモールド部３４から容易に分離するために、様々な手段が採用され得る。例えば、前記溝４３と貫通孔４４が当接する部分で、溝４３の幅又は高さを減少させることにより、モールド部３４ａを第１のモールド部３４から容易に分離させることができる。
【００２７】
図９を参照すると、前記基板３１を切断することにより、個別の発光ダイオードに分離される。切断工程は、ブレード又はレーザを用いて行ってもよい。切断工程後は、切断面を洗浄する。その結果、図示のように、基板３１の切断面内に第１のモールド部３４が位置するチップ型発光ダイオードが完成する。
【００２８】
本実施例によると、上部面上に溝４３を有する中間板４１を用いるので、湯道として用いられた溝４３を充填するモールド部３４ａは、中間板４１と一緒に除去される。したがって、従来技術とは異なり、第１のモールド部３４が基板３１の切断面内に位置する発光ダイオードが製造される。
【００２９】
図１０乃至図１２は、本発明の他の実施例による発光ダイオードの製造方法を説明するための図であり、図１１において、（ａ）は平面図を、（ｂ）は断面図を示し、図１０及び図１２は、それぞれ断面図及び平面図である。
【００３０】
図１０を参照すると、図４乃至図８を参照して上述したように、中間板４１を用いて、基板３１上に発光チップ３２をそれぞれ覆う第１のモールド部３４を形成し、中間板４１を除去する。次いで、不透明成形材料を塗布して、第１のモールド部３４が形成された基板３１を覆う第２のモールド部３５を形成する。不透明成形材料は、前記第１のモールド部３４間の空間を充填し、前記第１のモールド部３４を覆う。
【００３１】
不透明成形材料としては、ＰＰＡのような不透明耐熱性樹脂又はＴｉＯ２が混合された白色エポキシ樹脂が用いられてもよい。不透明成形材料は、多様な方法、スクリーン印刷、トランスファー成形、射出成形により成形されてもよく、熱だけでなく、紫外線（ＵＶ）により硬化されてもよい。
【００３２】
図１１を参照すると、前記第１のモールド部３４の上部面が露出するまで、ポリッシング加工等により前記不透明成形材料を除去する。その結果、第２のモールド部３５は、第１のモールド部３４の側面を覆い、その上部面を露出させる。
本実施例において、前記第２のモールド部３５は、不透明成形材料で前記第１のモールド部３４を覆った後、その一部を除去することにより、第１のモールド部３４の側面を覆うように形成される。
【００３３】
しかし、他の実施例において、不透明成形材料が第１のモールド部３４の上部面を覆わないように塗布されてもよく、この場合、不透明成形材料の一部を除去する工程、例えば、ポリッシング工程は省略されてもよい。このような方法は、例えば、上部モールドダイが前記第１のモールド部３４の上部面に接触するように、基板３１をモールドダイ内に配置した後、トランスファー成形又は射出成形により、第２のモールド部３５を形成することにより実現されてもよい。
【００３４】
図１２を参照すると、前記第２のモールド部３５が形成された基板を切断し、個別の発光ダイオードに分離する。これにより、第１のモールド部３４の側面を対称的に取り囲む不透明成形材料の第２のモールド部３５を有する発光ダイオードが製造される。
前記第２のモールド部３５は、従来のリフレクターとして用いられてもよく、したがって、要求される指向角内の発光光度を向上させることができる。また、第２のモールド部３５は、第１のモールド部３４と同一の高さを有するので、第２のモールド部３５を採用しても、発光ダイオードの厚さが増加されない。
【００３５】
一方、従来のリフレクターを採用する発光ダイオードは、リフレクターの形状及び高温に弱いリフレクターの材質のため、トランスファー成形により透明モールド部を形成することが困難であった。しかし、本実施例によると、第１のモールド部３４を形成した後、第２のモールド部３５を形成するので、第２のモールド部の材質及び形状に制限されず、第１のモールド部をトランスファー成形により形成することができる。
また、本実施例において、貫通孔４４及び溝４３を有する中間板４１を採用して、トランスファー成形により第１のモールド部３４を形成するものと説明しているが、第１のモールド部３４は、トランスファー成形以外に多様な方法、例えば、従来のスクリーン印刷、射出成形により形成されてもよい。
【００３６】
一方、前記第２のモールド部３５は、発光チップ３２から放出された光を要求される指向角内に反射させるように、一定の傾斜面を有してもよい。本実施例において、第２のモールド部３５の傾斜面は、第１のモールド部３４の側面に沿って形成され、第１のモールド部３４の側面は、中間板４１の貫通孔４４の形状により決定される。したがって、貫通孔４４の形状を適宜調節することにより、第２のモールド部３５の傾斜面を制御することができる。
【００３７】
図１３及び図１４は、本発明のまた他の実施例による発光ダイオードの製造方法を説明するための断面図及び斜視図である。
図１３を参照すると、図４乃至図８を参照して上述したように、中間板４１を用いて、基板３１上に発光チップ３２をそれぞれ覆う第１のモールド部３４を形成し、中間板４１を除去する。次いで、発光チップ３２の位置に対応するレンズ状の凹部を有するモールドダイ内に基板３１を位置させ、透明成形材料で成形し、第２のモールド部６５を形成する。
前記第２のモールド部６５は、トランスファー成形又は射出成形により形成されてもよく、その結果、図１３に示すように、第１のモールド部を覆い、その上部にレンズ部を有する第２のモールド部６５が形成される。
【００３８】
図１４を参照すると、前記第２のモールド部６５が形成された基板を切断し、個別の発光ダイオードに分離する。これにより、第１のモールド部３４の側面を対称的に取り囲み、前記第１のモールド部３４の上部をレンズ状に覆う第２のモールド部６５を有する発光ダイオードが製造される。前記第２のモールド部６５のレンズ部は、発光チップ３２から放出された光を、要求される指向角内に集光させることにより、発光光度を向上させる。
前記第２のモールド部６５は、第１のモールド部３４と同一の材料、例えば、エポキシ又はシリコン樹脂で形成されてもよい。
【００３９】
図１５及び図１６は、本発明のさらにまた他の実施例による発光ダイオードの製造方法を説明するための断面図及び斜視図である。
図１５を参照すると、図４乃至図８を参照して上述したように、中間板４１を用いて、基板３１上に発光チップ３２をそれぞれ覆う第１のモールド部３４を形成し、中間板４１を除去する。次いで、前記第１のモールド部３４をそれぞれ覆う第２のモールド部７５を形成する。
前記第２のモールド部７５は、前記第１のモールド部３４を収容する貫通孔を有する中間板（図示せず）を用いて、スクリーン印刷、トランスファー成形、又は射出成形により形成されてもよい。
【００４０】
前記中間板は、図５を参照して説明した中間板４１と同一形状の貫通孔及び溝を有してもよく、但し、中間板４１の貫通孔４４に比べてより大きな貫通孔を有する。但し、成形方法により、溝が必ずしも必要なものではないので、前記中間板は、第１のモールド部３４を収容する貫通孔のみを有してもよい。
前記中間板の貫通孔の大きさを調節することにより、前記第２のモールド部７５の厚さを調節することができ、前記第１のモールド部３４を均一な厚さで覆うように、第２のモールド部７５を形成してもよい。
【００４１】
図１６を参照すると、前記第２のモールド部７５が形成された基板を切断し、個別の発光ダイオードに分離する。これにより、第１のモールド部３４の側面を対称的に取り囲み、前記第１のモールド部３４の上部を均一に覆う第２のモールド部７５を有する発光ダイオードが製造される。前記第２のモールド部７５は、第１のモールド部３４の側面及び上部面上に均一な厚さで形成されてもよい。
【００４２】
本実施例において、前記第１のモールド部３４又は前記第２のモールド部７５は、蛍光体を含有していてもよく、特に、前記第２のモールド部７５内に蛍光体が分散された場合、発光チップ３２から放出された光を均一に波長変換させることができる。これに加えて、前記第１のモールド部３４及び前記第２のモールド部７５は、蛍光体をそれぞれ含有していてもよく、例えば、前記第１のモールド部３４内に赤色蛍光体、前記第２のモールド部７５内に緑色蛍光体を含有させ、白色発光ダイオードを提供することができる。この場合、前記第１のモールド部３４の赤色蛍光体により波長変換された光は、前記第２のモールド部内の緑色蛍光体により吸収されず、外部に放出されるので、光損失を防ぐことができる。その反対に、前記第１のモールド部３４内に緑色蛍光体を、前記第２のモールド部７５内に赤色蛍光体を含有させてもよい。この場合、前記緑色蛍光体により波長変換された光は、さらに前記赤色蛍光体により赤色に波長変換されてもよく、これにより、赤色光の光量を増加させることができる。
【図面の簡単な説明】
【００４３】
【図１】従来のチップ型発光ダイオードの製造方法を説明するための図であり、（ａ）は平面図を、（ｂ）は断面図を示す。
【図２】従来のチップ型発光ダイオードの製造方法を説明するための図であり、（ａ）は平面図を、（ｂ）は断面図を示す。
【図３】従来のチップ型発光ダイオードを示す斜視図である。
【図４】本発明の一実施例による発光ダイオードの製造方法を説明するための図であり、（ａ）は平面図を、（ｂ）は断面図を示す。
【図５】本発明の一実施例による発光ダイオードの製造方法を説明するための図であり、（ａ）は平面図を、（ｂ）は断面図を示す。
【図６】本発明の一実施例による発光ダイオードの製造方法を説明するための図である。
【図７】本発明の一実施例による発光ダイオードの製造方法を説明するための図であり、（ａ）は平面図を、（ｂ）は断面図を示す。
【図８】本発明の一実施例による発光ダイオードの製造方法を説明するための図であり、（ａ）は平面図を、（ｂ）は断面図を示す。
【図９】本発明の一実施例による発光ダイオードの製造方法を説明するための斜視図である。
【図１０】本発明の他の実施例による発光ダイオードの製造方法を説明するための断面図である。
【図１１】本発明の他の実施例による発光ダイオードの製造方法を説明するための図であり、（ａ）は平面図を、（ｂ）は断面図を示す。
【図１２】本発明の他の実施例による発光ダイオードの製造方法を説明するための斜視図である。
【図１３】本発明のまた他の実施例による発光ダイオードの製造方法を説明するための断面図である。
【図１４】本発明のまた他の実施例による発光ダイオードの製造方法を説明するための斜視図である。
【図１５】本発明のさらにまた他の実施例による発光ダイオードの製造方法を説明するための断面図である。
【図１６】本発明のさらにまた他の実施例による発光ダイオードの製造方法を説明するための斜視図である。
【符号の説明】
【００４４】
１１、３１  基板
１２、３２  発光チップ
１３、３３  ワイヤ
１４    モールド部
３４    第１のモールド部
３５、６５、７５  第２のモールド部
４１    中間板
４３    溝
４４    貫通孔
５１、５３  モールドダイ
【図１】
2009506530.tif 000003
【図２】
2009506530.tif 000004
【図３】
2009506530.tif 000005
【図４】
2009506530.tif 000006
【図５】
2009506530.tif 000007
【図６】
2009506530.tif 000008
【図７】
2009506530.tif 000009
【図８】
2009506530.tif 000010
【図９】
2009506530.tif 000011
【図１０】
2009506530.tif 000012
【図１１】
2009506530.tif 000013
【図１２】
2009506530.tif 000014
【図１３】
2009506530.tif 000015
【図１４】
2009506530.tif 000016
【図１５】
2009506530.tif 000017
【図１６】
2009506530.tif 000018
【国際調査報告】
2009506530.tif 000019
2009506530.tif 000020